(57)【要約】【課題】テキストデータがイメージデータよりも重要な情報を多く含むことに着目し、画像データを内部の大容量記憶手段と外部記録媒体とに分散して記憶する際に、テキスト部とイメージ部とに分けることで、外部記録媒体には小容量の分散ですみ、アクセススピードを減退させることなく、実用性の高い機密保持を実現する。【解決手段】画像読取装置４で読み取った画像データ、外部Ｉ／Ｆ１１０等から入力された画像データに対して、テキスト部１７０とイメージ部１６８とに分離し、基本的にはデータ量が少なく、かつ重要な情報を含む可能性が高いテキスト部１７０のデータを記録メディア１８２に記憶すると共に、データ量が多く、比較的重要性の低いイメージ部１６８のデータをハードディスク１７６に記憶する。ハードディスク１７６が取り外され、持ち出し先で記憶されたデータを復元しようとしても、重要なデータが存在しないため、機密を保持することができる。【選択図】図２
2008017196.tif 000002
【特許請求の範囲】
【請求項１】
原稿画像を読み取って画像データを生成するスキャナ機能、並びに前記スキャナ機能により生成された画像データ或いは外部インタフェースを介して入力される画像データに基づいて画像を形成するプリンタ機能の少なくとも一方を備えた画像処理装置であって、
前記生成された画像データ又は入力された画像データを記憶する不揮発性の大容量記憶手段と、
携帯可能な外部記録媒体が着脱可能な装填部が設けられ、当該装填部に装填された外部記録媒体との電気的接続による画像データの読み書きを可能とする外部記録媒体インタフェース手段と、
前記生成された画像データ又は入力された画像データを分析して、テキスト部とイメージ部とに分類する画像データ分類手段と、
前記画像データ分類手段で分類された前記イメージ部の画像データを前記大容量記憶手段に記憶すると共に、前記テキスト部の画像データを前記外部記録媒体インタフェースを介して外部記録媒体に記憶する分散記憶制御手段と、
を有する画像処理装置。
【請求項２】
前記テキスト部の画像データを圧縮処理する圧縮処理手段と、予め定められた座標のビットを抽出するビット抽出手段と、をさらに備え、前記入力される画像データの記述言語に基づいて、前記圧縮処理又はビット抽出の少なくとも一方を適用することを特徴とする請求項１記載の画像処理装置。
【請求項３】
前記スキャナ機能によって生成される画像データにおいて、前記圧縮処理手段により圧縮処理を施すと共に、前記テキスト部の画像データ量が、前記外部記録媒体の記憶容量を超えている場合は、前記ビット抽出手段により、前記外部記録媒体の記憶容量よりも少ない容量分、前記テキスト部の画像データの一部をビット単位で抽出して、前記外部記録媒体に記憶し、非抽出のテキスト部の画像データを前記大容量記憶手段に記憶することを特徴とする請求項２記載の画像処理装置。
【請求項４】
前記プリンタ機能により画像を形成する場合の画像データにおいて、前記テキスト部の画像データ量が、前記外部記録媒体の記憶容量を超えている場合は、前記圧縮処理手段により前記外部記録媒体の記憶容量よりも少なくなるように、圧縮処理を施すことを特徴とする請求項２記載の画像処理装置。
【発明の詳細な説明】
【技術分野】
【０００１】
本発明は、原稿画像を読み取って画像データを生成するスキャナ機能、並びに前記スキャナ機能により生成された画像データ或いは外部インタフェースを介して入力される画像データに基づいて画像を形成するプリンタ機能の少なくとも一方を備えた画像処理装置に関するものである。
【背景技術】
【０００２】
オフィスにおいては、スキャナ、プリンタ、ファクシミリ等の多様な機能を備えた複合機（画像処理装置）がエリアネットワーク（ＬＡＮ、ＷＡＮ等）に接続され、複数人で使用することが多い。
【０００３】
このような画像処理装置は、当該装置内に画像データを一時的に記憶する不揮発性の大容量記憶手段として、ハードディスクを搭載している。
【０００４】
ところで、複数人で使用する画像処理装置の環境下では、不正にハーディスクが取り外される可能性があり、このハードディスクに記憶されている画像データが再現されると、情報の流出につながる。
【０００５】
このため、画像データの機密保持を目的として、特許文献１には、画像蓄積制御部において、画像処理部により画像処理が施された１ページ分の画像データがページメモリに蓄積される度に、その画像データを読み出し、ハードディスクと記録メディアに分けて転送して書き込むことが提案されている。
【０００６】
例えば、転送単位が１６ビットの場合に、１６ビット中の１ビットを記録メディアに、残りをハードディスクに分けて記憶させる。
【０００７】
このとき、１ワード（転送単位）の画像データを最上位ビットから最下位ビットまでをＤ１５〜Ｄ０とすると、最上位ビットＤ１５を記録メディアに転送すべき画像データとして処理する。また、残りのデータ（Ｄ１４〜Ｄ０）を１６ビットデータとして再構成し、それをハードディスクに転送すべきデータとして処理している。
【０００８】
これにより、ハードディスク等の不揮発性記憶手段が不正に取り外されても、持ち出し先で有効な情報を再現することができなくなる。
【特許文献１】特開２００４−１８７２２３公報
【発明の開示】
【発明が解決しようとする課題】
【０００９】
しかしながら、特許文献１の技術では、画像データの種類（イメージなのかテキストなのか）に関係なく、転送ビットの一部を記録メディアに振り分けているため、ハーディスクが持ち出されても、記憶されているデータから情報を再現できなくするためには、記録メディアに振り分ける画像データ量を多くしなければならない。このため、記録メディアとして大容量のものを利用せざるを得ず、また、記憶容量が増えれば記憶に要する時間（アクセススピード）が長くなったり、読み戻す時間が長くなって、実用性に乏しいものとなっている。
【００１０】
本発明は上記事実を考慮し、テキストデータがイメージデータよりも重要な情報を多く含むことに着目し、画像データを内部の大容量記憶手段と外部記録媒体とに分散して記憶する際に、テキスト部とイメージ部とに分けることで、外部記録媒体には小容量の分散ですみ、アクセススピードを減退させることなく、実用性の高い機密保持を実現することができる画像処理装置を得ることが目的である。
【課題を解決するための手段】
【００１１】
本発明は、原稿画像を読み取って画像データを生成するスキャナ機能、並びに前記スキャナ機能により生成された画像データ或いは外部インタフェースを介して入力される画像データに基づいて画像を形成するプリンタ機能の少なくとも一方を備えた画像処理装置であって、前記生成された画像データ又は入力された画像データを記憶する不揮発性の大容量記憶手段と、携帯可能な外部記録媒体が着脱可能な装填部が設けられ、当該装填部に装填された外部記録媒体との電気的接続による画像データの読み書きを可能とする外部記録媒体インタフェース手段と、前記生成された画像データ又は入力された画像データを分析して、テキスト部とイメージ部とに分類する画像データ分類手段と、前記画像データ分類手段で分類された前記イメージ部の画像データを前記大容量記憶手段に記憶すると共に、前記テキスト部の画像データを前記外部記録媒体インタフェースを介して外部記録媒体に記憶する分散記憶制御手段と、を有している。
【００１２】
本発明によれば、生成又は入力された画像データを画像データ分類手段により、テキスト部とイメージ部とに分類し、分散記憶制御手段によりテキスト部を外部記録媒体に記憶し、イメージ部を大容量記憶手段に記憶する。なお、大容量記憶手段としては、ハードディスクが代表的である。
【００１３】
これにより、大容量記憶手段が画像処理装置から取り外され、持ち出し先でデータを再現しようとしても、重要なデータ（すなわち、テキストデータ）が存在しないため、機密を保持することができる。
【００１４】
また、テキストデータはイメージデータに比べて小容量であるため、外部記録媒体とのアクセススピードが減退することがない。
【００１５】
本発明において、前記テキスト部の画像データを圧縮処理する圧縮処理手段と、予め定められた座標のビットを抽出するビット抽出手段と、をさらに備え、前記入力される画像データの記述言語に基づいて、前記圧縮処理又はビット抽出の少なくとも一方を適用することを特徴としている。
【００１６】
外部記録媒体への記憶の際、画像データの記述言語に基づいて、画像データを圧縮するか（圧縮処理手段）、或いは予めビットを抽出するか（ビット抽出手段）の少なくとも一方を適用することで、さらに外部記録媒体への記憶容量を減らすことができる。
【００１７】
また、本発明において、前記スキャナ機能によって生成される画像データにおいて、前記圧縮処理手段により圧縮処理を施すと共に、前記テキスト部の画像データ量が、前記外部記録媒体の記憶容量を超えている場合は、前記ビット抽出手段により、前記外部記録媒体の記憶容量よりも少ない容量分、前記テキスト部の画像データの一部をビット単位で抽出して、前記外部記録媒体に記憶し、非抽出のテキスト部の画像データを前記大容量記憶手段に記憶することを特徴としている。
【００１８】
スキャナ機能による読取動作で生成される画像データは、ビットマップデータであり、まず、圧縮処理を施した後、外部記録媒体の記憶容量を超えている場合には、テキスト部の画像データの一部をビット単位で抽出する。言い換えれば、テキストデータを間引いて外部記録媒体に記憶する。なお、その他は大容量記憶手段に記憶する。
【００１９】
さらに、本発明において、前記プリンタ機能により画像を形成する場合の画像データにおいて、前記テキスト部の画像データ量が、前記外部記録媒体の記憶容量を超えている場合は、前記圧縮処理手段により前記外部記録媒体の記憶容量よりも少なくなるように、圧縮処理を施すことを特徴としている。
【００２０】
プリンタ機能により画像を形成する場合の画像データは、ＰＤＬ（Page Description Language）であり、ビット抽出はできない。そこで、外部記録媒体の記憶容量を超えている場合は、外部記録媒体の記憶容量よりも少なくなるように、圧縮処理を施す。
【発明の効果】
【００２１】
以上説明した如く本発明では、テキストデータがイメージデータよりも重要な情報を多く含むことに着目し、画像データを内部の大容量記憶手段と外部記録媒体とに分散して記憶する際に、テキスト部とイメージ部とに分けることで、外部記録媒体には小容量の分散ですみ、アクセススピードを減退させることなく、実用性の高い機密保持を実現することができるという優れた効果を有する。
【発明を実施するための最良の形態】
【００２２】
（デジタルカラー複合機の構成）
図１には、本実施の形態に係る画像処理装置としてのタンデム型のデジタルカラー複合機１０４が示されている。
【００２３】
図１において、タンデム型のデジタルカラー複合機１０４には、本体１内に画像形成処理を実行する画像形成装置１０６が格納されている。また、本体１の上部には、原稿２をプラテンガラス５上に自動的に搬送する自動原稿搬送装置３を備え、プラテンガラス５上に載置された原稿２の画像を読み取る画像読取装置４が配設されている。
【００２４】
この画像読取装置４は、プラテンガラス５上に載置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光して、この画像読取素子１１によって原稿２の色材反射光像を所定のドット密度（例えば、１６ドット／ｍｍ）で読み取るように構成されている。
【００２５】
上記画像読取装置４によって読み取られた原稿２の色材反射光像は、例えば、赤（Ｒ）、緑（Ｇ）、青（Ｂ）（各８ｂｉｔ）の３色の原稿反射率データとしてメインコントローラ１２に送られ、このメインコントローラ１２では、原稿２の反射率データに対して、シェーデイング補正、位置ズレ補正、明度／色空間変換、ガンマ補正、枠消し、色／移動編集等の所定の画像処理が施される。
【００２６】
（画像形成装置）
以下、画像形成装置１０６の構成について説明する。この画像形成装置１０６は、画像形成制御装置１０７によって、各部の駆動が制御されるようになっている。
【００２７】
図１に示される如く、メインコントローラ１２で所定の画像処理が施された画像データは、イエロー（Ｙ）、マゼンタ（Ｍ）、シアン（Ｃ）、ブラック（Ｋ）（各８ｂｉｔ）の４色の原稿色材階調データ（ラスタデータ）に変換され、次に述べるように、画像形成装置１０６の一部を構成する、ブラック（Ｋ）、イエロー（Ｙ）、マゼンタ（Ｍ）、シアン（Ｃ）の各色の画像形成ユニット１３Ｋ、１３Ｙ、１３Ｍ、１３Ｃの露光装置１４Ｋ、１４Ｙ、１４Ｍ、１４Ｃに送られ、これらの露光装置１４Ｋ、１４Ｙ、１４Ｍ、１４Ｃでは、所定の色の原稿色材階調データに応じてレーザー光による画像露光が感光体ドラム１５に対して行われる。
【００２８】
ところで、上記タンデム型のデジタルカラー複合機本体１の内部には、上述したように、ブラック（Ｋ）、イエロー（Ｙ）、マゼンタ（Ｍ）、シアン（Ｃ）の４つの画像形成ユニット１３Ｋ、１３Ｙ、１３Ｍ、１３Ｃが、水平方向に一定の間隔をおいて搬送方向に略直線的に配置されている。
【００２９】
上記４つの画像形成ユニット１３Ｋ、１３Ｙ、１３Ｍ、１３Ｃは、すべて同様に構成されているため、画像形成ユニット１３Ｋの構成について説明し、他の画像形成ユニット１３Ｙ、１３Ｍ、１３Ｃの構成については、符号の末尾を「Ｙ」又は「Ｍ」又は「Ｃ」に置き換えることで説明を省略する。
【００３０】
この画像形成ユニット１３Ｋは、大別して、所定の回転速度で回転する感光体ドラム１５Ｋと、この感光体ドラム１５Ｋの表面を一様に帯電する一次帯電用のスコロトロン１６Ｋと、当該感光体ドラム１５Ｋの表面に各色に対応した画像を露光して静電潜像を形成する画像露光装置としての露光装置１４Ｋと、感光体ドラム１５Ｋ上に形成された静電潜像を現像する現像器１７Ｋと、クリーニング装置１８Ｋとから構成されている。
【００３１】
上記露光装置１４Ｋは、半導体レーザー１９Ｋを原稿色材階調データに応じて変調して、この半導体レーザー１９Ｋからレーザー光ＬＢを階調データに応じて出射する。この半導体レーザー１９Ｋから出射されたレーザー光ＬＢは、反射ミラーを介して回転多面鏡２２Ｋによって偏向走査され、最終的に反射ミラー２３Ｋを介して像担持体としての感光体ドラム１５Ｋ上に走査露光される。
【００３２】
図１に示すように、上記メインコントローラ１２からは、ブラック（Ｋ）、イエロー（Ｙ）、マゼンタ（Ｍ）、シアン（Ｃ）の各色の画像形成ユニット１３Ｋ、１３Ｙ、１３Ｍ、１３Ｃの露光装置１４Ｋ、１４Ｙ、１４Ｍ、１４Ｃに各色の画像データ（ラスタデータ）が順次出力され、これらの露光装置１４Ｋ、１４Ｙ、１４Ｍ、１４Ｃから画像データに応じて出射されるレーザービームＬＢが、それぞれの感光体ドラム１５Ｋ、１５Ｙ、１５Ｍ、１５Ｃの表面に走査露光されて静電潜像が形成される。上記各感光体ドラム１５Ｋ、１５Ｙ、１５Ｍ、１５Ｃに形成された静電潜像は、現像器１７Ｋ、１７Ｙ、１７Ｍ、１７Ｃによって、それぞれブラック（Ｋ）、イエロー（Ｙ）、マゼンタ（Ｍ）、シアン（Ｃ）の各色のトナー像として、現像される。
【００３３】
上記各画像形成ユニット１３Ｋ、１３Ｙ、１３Ｍ、１３Ｃの感光体ドラム１５Ｋ、１５Ｙ、１５Ｍ、１５Ｃ上に、順次形成されたブラック（Ｋ）、イエロー（Ｙ）、マゼンタ（Ｍ）、シアン（Ｃ）の各色のトナー像は、画像形成ユニット１３Ｋ、１３Ｙ、１３Ｍ、１３Ｃの下方に配置された中間転写体としての中間転写ベルト２５上に、一次転写ロール２６Ｋ、２６Ｙ、２６Ｍ、２６Ｃによって多重に転写される。この中間転写ベルト２５は、ドライブロール２７と、スリッピングロール２８と、ステアリングロール２９と、アイドルロール３０と、バックアップロール３１と、アイドルロール３２との間に一定のテンションで掛け回されており、図示しない定速性に優れた専用の駆動モーターによって回転駆動されるドライブロール２７により、矢印方向に所定の速度で循環駆動されるようになっている。上記中間転写ベルト２５としては、例えば、可撓性を有するポリイミド等の合成樹脂フィルムを帯状に形成し、この帯状に形成された合成樹脂フィルムの両端を溶着等の手段によって接続することにより、無端ベルト状に形成したものが用いられる。
【００３４】
上記中間転写ベルト２５上のトナー像が転写される記録用紙３４は、図１に示すように、トレイユニット３９から所定のサイズの記録用紙３４（並列搬送の場合は、その並列数に相当する複数枚の記憶用紙を含む）が、給紙ローラ４２及び用紙分離搬送用のローラ対４３によって、レジストロール４７まで一旦搬送される。
【００３５】
その後、記録用紙３４は、所定のタイミングで回転駆動されるレジストロール４７によって２次転写位置へ送出される。
【００３６】
一方、上記中間転写ベルト２５上に多重に転写されたブラック（Ｋ）、イエロー（Ｙ）、マゼンタ（Ｍ）、シアン（Ｃ）の各色のトナー像は、バックアップロール３１に圧接する２次転写ロール３３によって、圧接力及び静電気力で、２次転写位置に搬送された記録用紙３４上に転写される。この各色のトナー像が転写された記録用紙３４は、搬送ベルト３５によって定着器３７へと搬送される。そして、上記各色のトナー像が転写された記録用紙３４は、定着器３７によって熱及び圧力で定着処理を受け、複合機本体１の外部に設けられた排出トレイ３８上に排出される。
【００３７】
ここで、本実施の形態では、画像読取装置４は、本体１に設けられたＵＩ（ユーザインターフェース）１０８の操作によって、「コピーモード」又は「スキャンモード」を選択した場合に起動する。なお、「コピーモード」では、画像読取装置４と共に画像形成装置１０６が起動することになる。
【００３８】
一方、待機状態のメインコントローラ１２には、前記画像読取装置４によって読み取った画像データの他、外部Ｉ／Ｆ（インターフェース）１１０を介して、ＰＣから画像データを含むジョブデータが入力されるようになっている。さらに、本実施の形態では、図２に示される如く、外部記録媒体である記録メディア１８２が着脱可能なスロット１８０が設けられており、このスロット１８０に装填された記録メディア１８２に記憶された画像データが、外部記録媒体Ｉ／Ｆ（インタフェース）１７８を介してメインコントローラ１２に入力されるようになっている。なお、メインコントローラ１２では、記録メディア１８２から画像データを読み出す機能の他、当該記録メディアに対して画像データを出力して記憶させる機能を備えている（読み書き可能）。
【００３９】
このＰＣからの画像形成指示があると「プリンタモード」となり画像形成装置１０６のみが起動する。
【００４０】
本実施の形態のデジタルカラー複合機１０４（画像処理装置）では、「コピーモード」、「スキャンモード」、「プリンタモード」の３つのモードから処理モードが選択可能であり、それぞれのモードに応じて、画像読取装置４及び画像形成装置１０６が選択的に起動する。
【００４１】
図２には、上記デジタルカラー複合機１０４のメインコントローラ１２を構成する制御系の概略構成（制御ブロック）図が示されている。
【００４２】
メインコントローラ１２は、２連のコントロールユニット１２Ａ、１２Ｂで構成されている。
【００４３】
コントロールユニット１２Ａは、主として画像データ入力系制御を司る。
【００４４】
コントロールユニット１２Ａは、バス１５０に対してメモリコントローラバスブリッジ１５２Ａを介して、第１のＣＰＵ１５６と第１のメモリ１５４とが接続されている。
【００４５】
また、バス１５０には、イメージ抽出部１５８と、テキスト抽出部１６０とが接続されている。イメージ抽出部１５８には、イメージ用ローカルメモリ１６２が接続され、テキスト部１６０には、テキスト用ローカルメモリ１６４が接続されている。
【００４６】
イメージ抽出部１５８では、画像読取装置４、外部Ｉ／Ｆ１１０等から入力される画像１６６（図３参照）の画像データに対して、イメージ部１６８（図３参照）のデータを抽出して、一旦イメージ用ローカルメモリ１６２に記憶し、後述する第２のＣＰＵ１７２（コントロールユニット１２Ｂ）からの指令で、イメージ用ローカルメモリ１６２からイメージデータを読み出して、バス１５０を介してコントロールユニット１２Ｂへ送出する。
【００４７】
テキスト抽出部１６０では、画像読取装置４、外部Ｉ／Ｆ１１０等から入力される画像１６６（図３参照）の画像データに対して、テキスト部１７０（図３参照）のデータを抽出して、一旦テキスト用ローカルメモリ１６４に記憶し、後述する第２のＣＰＵ１７２（コントロールユニット１２Ｂ）からの指令で、テキスト用ローカルメモリ１６４からテキストデータを読み出して、バス１５０を介してコントロールユニット１２Ｂへ送出する。
【００４８】
コントロールユニット１２Ｂは、主として画像データ出力系制御を司る。
【００４９】
コントロールユニット１２Ｂは、バス１５０に対してメモリコントローラバスブリッジ１５２Ｂを介して、第２のＣＰＵ１７２と第２のメモリ１７４とが接続されている。
【００５０】
また、バス１５０には、不揮発性の大容量記憶手段としてのハードディスク１７６と、外部記録媒体Ｉ／Ｆ１７８とが接続されている。なお、外部記録媒体Ｉ／Ｆ１７８には、前述した記憶メディア装填用のスロット１８０が接続されている。
【００５１】
さらに、バス１５０には、出力補正手段１８１が接続され、画像データを画像形成装置１０６へ出力の際に様々な補正処理が実行されるようになっている。
【００５２】
第２のＣＰＵ１７２では、画像形成処理の際に、コントロールユニット１２Ａのイメージ抽出部１５８及びデキスト抽出部１６０に対して、画像データを要求する。
【００５３】
この要求によって、入力する画像データ（既に、イメージデータとテキストデータとに分離されている）は、一旦、第２のメモリ１７４に記憶された後、イメージデータはハードディスク１７６に記憶され、テキストデータは、スロット１８０に装填された記録メディア１８２に記憶される。
【００５４】
なお、イメージデータのハードディスク１７６への記憶、テキストデータの記録メディア１８２への記憶後は、第２のメモリ１７４の記憶内容が消去されるようになっている。
【００５５】
以下に本実施の形態の作用を図４及び図５のフローチャートに従い説明する。
【００５６】
図４は、画像読取装置における画像読取時の画像データ分離制御の流れを示している。
【００５７】
ステップ２００では、読み取りが完了したか否かが判断され、肯定判定されるとステップ２０２へ移行してイメージ部１６８とテキスト部１７０（図３参照）とに分離処理を行いステップ２０４へ移行する。
【００５８】
ステップ２０４では、テキスト部１７０、すなわちテキストデータは記憶メディア１８２の記憶容量を超えたか否かが判断され、超えている場合はステップ２０６へ移行してフラグＦをセット（１）し、超えていない場合はステップ２０８へ移行してフラグＦをリセットし、それぞれステップ２１０へ移行する。
【００５９】
ステップ２１０では、読取データを記憶するためのパケット転送を開始し、ステップ２１２へ移行する。
【００６０】
ステップ２１２では、転送されるデータ（分離画像）が、テキスト部１７０のものか、イメージ部１６８のものかを判断し、テキスト部１７０のものである場合は、ステップ２１４へ移行して圧縮処理を施した後、ステップ２１６へ移行する。
【００６１】
ステップ２１６では、フラグＦがセット（１）されているか否かが判断され、肯定判定されると、テキスト部１７０のデータ量が記録メディア１８２の記憶容量を超えていると判断され、ステップ２１８へ移行して、予め設定した位置の所定のビットを抽出して記録メディア１８２へ記憶すると共に、抽出されなかった（非抽出）のビットをハードディスク１７６に記憶して、ステップ２２４へ移行する。
【００６２】
また、ステップ２１６で否定判定（すなわちフラグＦがリセット（０））された場合は、テキスト部１７０のデータ量が記録メディア１８２の記憶容量を超えていないと判断され、ステップ２２０へ移行して、全てのテキスト部１７０のデータを記録メディア１８２へ記憶して、ステップ２２４へ移行する。
【００６３】
一方、前記ステップ２１２において、イメージ部１６８のものと判断された場合は、ステップ２１２からステップ２２２へ移行して、全てのイメージ部１６８のデータをハードディクス１７６に記憶して、ステップ２２４へ移行する。
【００６４】
ステップ２２４では、全てのデータの格納（記憶）が終了したか否かが判断され、否定判定された場合には、ステップ２１２へ戻り、上記工程を繰り返す。
【００６５】
また、ステップ２２４で肯定判定された場合には、このルーチンは終了する。
【００６６】
次に、図５は、主として外部Ｉ／Ｆ１１０から入力され、画像形成装置１０６において画像形成されるＰＤＬ画像データの分離制御の流れを示している。
【００６７】
ステップ２５０では、ＰＤＬ受信が完了したか否かが判断され、肯定判定されるとステップ２５２へ移行してイメージ部１６８とテキスト部１７０（図３参照）とに分離処理を行いステップ２５４へ移行する。
【００６８】
ステップ２５４では、テキスト部１７０、すなわちテキストデータは記憶メディア１８２の記憶容量を超えたか否かが判断され、超えている場合はステップ２５６へ移行してフラグＦをセット（１）し、超えていない場合はステップ２５８へ移行してフラグＦをリセットし、それぞれステップ２６２へ移行する。
【００６９】
ステップ２６２では、転送されるデータ（分離画像）が、テキスト部１７０のものか、イメージ部１６８のものかを判断し、テキスト部１７０のものである場合は、ステップ２６４へ移行して、フラグＦがセット（１）されているか否かが判断される。
【００７０】
ステップ２６４で肯定判定されると、テキスト部１７０のデータ量が記録メディア１８２の記憶容量を超えていると判断され、ステップ２６６へ移行して、圧縮処理を施し、ステップ２６８へ移行する。
【００７１】
また、ステップ２６４で否定判定（すなわちフラグＦがリセット（０））された場合は、テキスト部１７０のデータ量が記録メディア１８２の記憶容量を超えていないと判断され、ステップ２６８へ移行する。
【００７２】
ステップ２６８では記憶メディア１８２へ全てのテキストデータを記憶し、ステップ２７２へ移行する。
【００７３】
一方、前記ステップ２６２において、イメージ部１６８のものと判断された場合は、ステップ２６２からステップ２７０へ移行して、全てのイメージ部１６８のデータをハードディクス１７６に記憶して、ステップ２７２へ移行する。
【００７４】
ステップ２７２では、全てのデータの格納（記憶）が終了したか否かが判断され、否定判定された場合には、ステップ２６２へ戻り、上記工程を繰り返す。
【００７５】
また、ステップ２７２で肯定判定された場合には、このルーチンは終了する。
【００７６】
以上説明したように、画像読取装置４で読み取った画像データ、外部Ｉ／Ｆ１１０等から入力された画像データに対して、テキスト部１７０とイメージ部１６８とに分離し、基本的には、データ量が少なく、かつ重要な情報を含む可能性が高いテキスト部１７０のデータを記録メディア１８２に記憶すると共に、データ量が多く、比較的重要性の低いイメージ部１６８のデータをハードディスク１７６に記憶する。
【００７７】
この結果、画像処理装置１０４からハードディスク１７６が取り外され、持ち出し先で記憶されたデータを復元しようとしても、重要なデータが存在しないため、機密を保持することができる。
【００７８】
なお、このとき、テキスト部１７０のデータが記録メディア１８２の記憶容量よりも多い場合には、テキスト部１７０のデータの一部をビット単位で抽出したり、圧縮処理を施すことで対応可能である。この場合、テキストデータであるため、イメージデータのような解像度が変化するといった不具合はない。
【図面の簡単な説明】
【００７９】
【図１】本実施の形態に係る画像処理装置の概略図である。
【図２】画像処理装置の制御ブロック図である。
【図３】画像データをイメージ部とテキスト部とに分離する場合の概念図である。
【図４】画像読取装置によりよみとったビットマップデータに対するデータ分離制御の流れを示すフローチャートである。図である。
【図５】外部Ｉ／Ｆ等から入力されるＰＤＬデータに対するデータ分離制御の流れを示すフローチャートである。
【符号の説明】
【００８０】
４    画像読取装置
１２    メインコントローラ
１２Ａ、１２Ｂ    コントロールユニット
１１０    外部Ｉ／Ｆ
１０４    デジタルカラー複合機
１０６    画像形成装置
１５２Ａ    メモリコントローラバスブリッジ
１５２Ｂ    メモリコントローラバスブリッジ
１５４    第１のメモリ
１５６    第１のＣＰＵ（分散記憶制御手段）
１５８    イメージ抽出部（画像データ分類手段）
１６０    テキスト抽出部（画像データ分類手段）
１６２    イメージ用ローカルメモリ
１６４    テキスト用ローカルメモリ
１６６    画像
１６８    イメージ部
１７０    テキスト部
１７２    第２のＣＰＵ（分散記憶制御手段）
１７４    第２のメモリ
１７６    ハードディスク
１７８    外部記録媒体Ｉ／Ｆ（外部記録媒体インタフェース手段）
１８０    スロット（外部記録媒体インタフェース手段）
１８１    出力補正手段
１８２    記録メディア（外部記録媒体）
【図１】
2008017196.tif 000003
【図２】
2008017196.tif 000004
【図３】
2008017196.tif 000005
【図４】
2008017196.tif 000006
【図５】
2008017196.tif 000007